【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
電子写真画像形成装置の本体に取り外し可能に装着されるカートリッジにおいて、
現像剤を収容する現像剤収容部と、
前記現像剤収容部に収容されている現像剤を用いて、電子写真感光体ドラムに形成された静電潜像を現像するための現像ローラと、
前記現像ローラの長手方向に沿って設けられているカートリッジ枠体と、
前記カートリッジ枠体の長手方向一端側に設けられ、且つ、前記現像ローラの長手方向一端側に設けられた現像ローラ軸部を支持する軸受部材と、
前記カートリッジが前記本体に装着された状態で、前記本体から前記現像ローラを回転するための回転力を受ける回転力受け部材と、
前記カートリッジ枠体の前記長手方向において、前記軸受部材の外側に設けられたサイドカバーと、
前記軸受部材を前記カートリッジ枠体に取り付けるために、前記軸受部材を前記カートリッジ枠体に締結している第１の締結部材であって、前記カートリッジ枠体の前記長手方向において前記サイドカバーの外側から締結することができる第１の締結部材と、
前記サイドカバーを前記カートリッジ枠体に取り付けるために、前記サイドカバーを前記カートリッジ枠体に締結している第２の締結部材と、
を有することを特徴とするカートリッジ。
【請求項２】
前記第１の締結部材は、第１のネジであって、前記第１のネジは、前記サイドカバーに設けられた穴から前記軸受部材に設けられた貫通穴を通過して、前記カートリッジ枠体に設けられた締結部に達して、且つ、前記穴から進入する工具によって締結ざれることを特徴とする請求項１に記載のカートリッジ。
【請求項３】
前記回転力受け部材はカップリング部材であり、更に、内側に前記カップリング部材の一端側を可動状態で取り付けられている円筒部材であって、前記円筒部材の内側に設けられた、前記カップリング部材が前記本体から受けた回転力を受ける円筒側力受け部と、前記円筒部材の外側周面に設けられている、前記円筒側力受け部が受けた前記回転力を前記現像ローラに伝達するための第１のギアとを有する円筒部材と、前記現像ローラ軸部に設けられた、前記カップリング部材が前記本体から受けた回転力を前記現像ローラに伝達するための第２のギアと、を有し、前記カートリッジが前記本体に装着された状態で、前記本体に設けられた本体駆動軸からの回転力が前記カップリング部材、前記円筒部材、前記第１のギア、及び、前記第２のギアを介して前記現像ローラに伝達されて前記現像ローラを回転することを特徴とする請求項１又は請求項２に記載のカートリッジ。
【請求項４】
更に、前記サイドカバーには弾性部材と、且つ、前記弾性部材の弾性力によって傾斜する前記回転力受け部材としてのカップリング部材の傾斜を規制する傾斜規制部が設けられており、前記第２の締結部材としての第２のネジによって前記サイドカバーを前記カートリッジ枠体に取り付ける際に、前記カップリング部材は前記サイドカバーと一体で前記カートリッジ枠体に取り付けられることを特徴とする請求項１乃至請求項３の何れか一つに記載のカートリッジ。
【請求項５】
電子写真画像形成装置の本体に取り外し可能に装着されるカートリッジにおいて、
現像剤を収容する現像剤収容部と、
前記現像剤収容部に収容されている現像剤を用いて、電子写真感光体ドラムに形成された静電潜像を現像するための現像ローラと、
前記現像ローラに前記現像剤を供給する現像剤供給ローラと、
前記カートリッジが前記本体に装着された状態で、前記現像ローラを回転するための回転力を前記本体から受けるためのカップリング部材と、
前記現像ローラの長手方向に沿って設けられているカートリッジ枠体と、
前記カートリッジ枠体の長手方向一端側に設けられた、前記現像ローラの長手方向一端側に設けられた現像ローラ軸部を支持する、且つ、前記現像剤供給ローラの長手方向一端側に設けられた現像剤供給ローラ軸部を支持する第１の軸受部材と、
前記カートリッジ枠体の長手方向他端側に設けられた、前記現像ローラの長手方向他端側に設けられた現像ローラ軸部を支持する、且つ、前記現像剤供給ローラの長手方向他端側に設けられた現像剤供給ローラ軸部を支持する第２の軸受部材と、
前記カートリッジ枠体の前記長手方向一端側であって前記第１の軸受部材との間でもって、前記カップリング部材が前記本体から受けた回転力を前記現像ローラに伝達するためのギアを覆っているサイドカバーと、
前記第１の軸受部材を前記カートリッジ枠体に取り付けるために、前記第１の軸受部材を前記カートリッジ枠体に締結している第１のネジであって、前記カートリッジ枠体の前記長手方向において前記サイドカバーの外側から前記サイドカバーに設けられた穴を介して締結している第１のネジと、
前記サイドカバーを前記カートリッジ枠体に取り付けるために、前記サイドカバーを前記カートリッジ枠体に締結している第２のネジと、
前記サイドカバーを前記カートリッジ枠体に取り付けるために、前記サイドカバーを前記第１の軸受部材と共に前記カートリッジ枠体に締結している第３のネジと、
前記第２の軸受部材を前記カートリッジ枠体に取り付けるために、前記第２の軸受部材を前記カートリッジ枠体に締結している第４のネジと、
前記第２の軸受部材を前記カートリッジ枠体に取り付けるために、前記第２の軸受部材を前記カートリッジ枠体に締結している第５のネジと、
を有することを特徴とするカートリッジ。
【請求項６】
更に、内側に前記カップリング部材の一端側を可動状態で取り付けられている円筒部材であって、前記円筒部材の内側に設けられた、前記カップリング部材が前記本体から受けた回転力を受ける円筒側力受け部と、前記円筒部材の外側周面に設けられている、前記円筒側力受け部が受けた前記回転力を前記現像ローラに伝達するための第１のギアとを有する円筒部材と、前記現像ローラ軸部に設けられた第２のギアと、を有し、前記カートリッジが前記本体に装着された状態で、前記本体に設けられた本体駆動軸からの回転力が前記カップリング部材、前記円筒部材、前記第１のギア、及び、前記第２のギアを介して前記現像ローラに伝達されて前記現像ローラを回転することを特徴とする請求項５に記載のカートリッジ。
【請求項７】
更に、前記サイドカバーには弾性部材と、且つ、前記弾性部材の弾性力によって傾斜する前記カップリング部材の傾斜を規制する傾斜規制部が設けられており、前記第２のネジ及び前記第３のネジによって前記サイドカバーを前記カートリッジ枠体に取り付ける際に、前記カップリング部材は前記サイドカバーと一体で前記カートリッジ枠体に取り付けられることを特徴とする請求項５又は請求項６に記載のカートリッジ。
【請求項８】
現像剤を収容する現像剤収容部と、
前記現像剤収容部に収容されている現像剤を用いて、電子写真感光体ドラムに形成された静電潜像を現像するための現像ローラと、
カートリッジが電子写真画像形成装置の本体に装着された状態で、前記現像ローラを回転するための回転力を前記本体から受けるためのカップリング部材と、
前記現像ローラの長手方向に沿って設けられているカートリッジ枠体と、
前記カートリッジ枠体の長手方向一端側に設けられ、且つ、前記現像ローラの長手方向一端側に設けられた現像ローラ軸部を支持する軸受部材と、
前記カートリッジ枠体の前記長手方向一端側であって前記軸受部材との間に、前記カップリング部材が前記本体から受けた回転力を前記現像ローラに伝達するためのギアを覆っているサイドカバーと、を有して、前記本体に取り外し可能に装着される前記カートリッジの組立て方法であって、
前記軸受部材を前記カートリッジ枠体に取り付けるために、第１のネジによって、前記カートリッジ枠体の前記長手方向において前記サイドカバーの外側から、前記軸受部材を前記カートリッジ枠体に締結し、
前記サイドカバーを前記カートリッジ枠体に取り付けるために、第２のネジによって、前記サイドカバーを前記カートリッジ枠体に締結し、
前記サイドカバーを前記カートリッジ枠体に取り付けるために、第３のネジによって、前記サイドカバーを前記軸受部材と共に前記カートリッジ枠体に締結することを特徴とするカートリッジの組立て方法。
【請求項９】
更に、前記サイドカバーには弾性部材と、且つ、前記弾性部材の弾性力によって傾斜する前記カップリング部材の傾斜を規制する傾斜規制部が設けられており、前記第２のネジ及び前記第３のネジによって前記サイドカバーを前記カートリッジ枠体に取り付ける際に、前記カップリング部材は前記サイドカバーと一体で前記カートリッジ枠体に取り付けられることを特徴とする請求項８に記載のカートリッジの組立て方法。
【請求項１０】
現像剤を収容する現像剤収容部と、
前記現像剤収容部に収容されている現像剤を用いて、電子写真感光体ドラムに形成された静電潜像を現像するための現像ローラと、
前記現像ローラに前記現像剤を供給する現像剤供給ローラと、
カートリッジが電子写真画像形成装置の本体に装着された状態で、前記現像ローラを回転するための回転力を前記本体から受けるためのカップリング部材と、
前記現像ローラの長手方向に沿って設けられているカートリッジ枠体と、
前記カートリッジ枠体の長手方向一端側に設けられた、前記現像ローラの長手方向一端側に設けられた現像ローラ軸部を支持する、且つ、前記現像剤供給ローラの長手方向一端側に設けられた現像剤供給ローラ軸部を支持する第１の軸受部材と、
前記カートリッジ枠体の長手方向他端側に設けられた、前記現像ローラの長手方向他端側に設けられた現像ローラ軸部を支持する、且つ、前記現像剤供給ローラの長手方向他端側に設けられた現像剤供給ローラ軸部を支持する第２の軸受部材と、
前記カートリッジ枠体の前記長手方向一端側であって前記第１の軸受部材との間に、前記カップリング部材をカップリング部材が前記本体から受けた回転力を前記現像ローラに伝達するためのギアを覆っているサイドカバーと、を有して、前記本体に取り外し可能に装着される前記カートリッジの組立て方法であって、
前記第１の軸受部材を前記カートリッジ枠体に取り付けるために、第１のネジによって、前記カートリッジ枠体の前記長手方向においてサイドカバーの外側から前記サイドカバーに設けられた穴を介して、前記第１の軸受部材を前記カートリッジ枠体に締結し、
前記サイドカバーを前記カートリッジ枠体に取り付けるために、第２のネジによって、前記サイドカバーを前記カートリッジ枠体に締結し、
前記サイドカバーを前記カートリッジ枠体に取り付けるために、第３のネジによって、前記サイドカバーを前記第１の軸受部材と共に前記カートリッジ枠体に締結し、
前記第２の軸受部材を前記カートリッジ枠体に取り付けるために、第４のネジによって、前記第２の軸受部材を前記カートリッジ枠体に締結し、
前記第２の軸受部材を前記カートリッジ枠体に取り付けるために、第５のネジによって、前記第２の軸受部材を前記カートリッジ枠体に締結することを特徴とするカートリッジの組立て方法。
【請求項１１】
更に、前記サイドカバーには弾性部材と、且つ、前記弾性部材の弾性力によって傾斜する前記カップリング部材の傾斜を規制する傾斜規制部が設けられており、前記第２のネジ及び前記第３のネジによって前記サイドカバーを前記カートリッジ枠体に取り付ける際に、前記カップリング部材は前記サイドカバーと一体で前記カートリッジ枠体に取り付けられることを特徴とする請求項１０に記載のカートリッジの組立て方法。
【請求項１２】
現像剤を収容する現像剤収容部と、
前記現像剤収容部に収容されている現像剤を用いて、電子写真感光体ドラムに形成された静電潜像を現像するための現像ローラと、
カートリッジが電子写真画像形成装置の本体に装着された状態で、前記現像ローラを回転するための回転力を前記本体から受けるためのカップリング部材と、
前記現像ローラの長手方向に沿って設けられているカートリッジ枠体と、
前記カートリッジ枠体の長手方向一端側に設けられ、且つ、前記現像ローラの長手方向一端側に設けられた現像ローラ軸部を支持する軸受部材と、
前記カートリッジ枠体の前記長手方向一端側であって前記軸受部材との間に前記カップリング部材が前記本体から受けた回転力を前記現像ローラに伝達するためのギアを覆っているサイドカバーと、を有して、前記本体に取り外し可能に装着される前記カートリッジの分解方法であって、
前記サイドカバーを前記カートリッジ枠体から取り外すために、第２のネジを解除する工程と、
前記軸受部材を前記カートリッジ枠体から取り外すために、前記カートリッジ枠体の前記長手方向において前記サイドカバーの外側から、第１のネジを解除する工程と、  前記サイドカバー及び前記軸受部材を前記カートリッジ枠体から取り外すために、第３のネジを解除する工程と、
を有して、
前記サイドカバー及び前記軸受部材を前記カートリッジ枠体から取り外すことを特徴とするカートリッジの分解方法。
【請求項１３】
更に、前記サイドカバーには弾性部材と、且つ、前記弾性部材の弾性力によって傾斜する前記カップリングの傾斜を規制する傾斜規制部が設けられており、前記第２のネジ及び前記第３のネジを解除することによって前記サイドカバーを前記カートリッジ枠体から取り外す際に、前記カップリング部材は前記サイドカバーと一体で前記カートリッジ枠体から取り外されることを特徴とする請求項１２に記載のカートリッジの分解方法。
【請求項１４】
現像剤を収容する現像剤収容部と、
前記現像剤収容部に収容されている現像剤を用いて、電子写真感光体ドラムに形成された静電潜像を現像するための現像ローラと、
前記現像ローラに前記現像剤を供給する現像剤供給ローラと、
カートリッジが電子写真画像形成装置の本体に装着された状態で、前記現像ローラを回転するための回転力を前記本体から受けるためのカップリング部材と、
前記現像ローラの長手方向に沿って設けられているカートリッジ枠体と、
前記カートリッジ枠体の長手方向一端側に設けられた、前記現像ローラの長手方向一端側に設けられた現像ローラ軸部を支持する、且つ、前記現像剤供給ローラの長手方向一端側に設けられた現像剤供給ローラ軸部を支持する第１の軸受部材と、
前記カートリッジ枠体の長手方向他端側に設けられた、前記現像ローラの長手方向他端側に設けられた現像ローラ軸部を支持する、且つ、前記現像剤供給ローラの長手方向他端側に設けられた現像剤供給ローラ軸部を支持する第２の軸受部材と、
前記カートリッジ枠体の長手方向一端側に設けられ、且つ、前記現像ローラの長手方向一端側に設けられた現像ローラ軸部を支持する第１の軸受部材と、
前記カートリッジ枠体の前記長手方向一端側であって前記第１の軸受部材との間に前記カップリング部材が前記本体から受けた回転力を前記現像ローラに伝達するためのギアを覆っているサイドカバーと、を有して、前記本体に取り外し可能に装着される前記カートリッジの分解方法であって、
前記サイドカバーを前記カートリッジ枠体から取り外すために、第２のネジを解除する工程と、
前記第１の軸受部材を前記カートリッジ枠体から取り外すために、前記カートリッジ枠体の前記長手方向において前記サイドカバーの外側から前記サイドカバーに設けられた穴を介して、第１のネジを解除する工程と、
前記サイドカバー及び前記第１の軸受部材を前記カートリッジ枠体から取り外すために、第３のネジを解除する工程と、
前記第２の軸受部材を前記カートリッジ枠体から取り外すために、第４のネジを解除する工程と、
前記第２の軸受部材を前記カートリッジ枠体から取り外すために、第５のネジを解除する工程と、
を有して、
前記第１の軸受部材、前記第２の軸受部材、及び、前記サイドカバーを前記カートリッジ枠体から取り外すことを特徴とするカートリッジの分解方法。
【請求項１５】
更に、前記サイドカバーには弾性部材と、且つ、前記弾性部材の弾性力によって傾斜する前記カップリングの傾斜を規制する傾斜規制部が設けられており、前記第２のネジ及び前記第３のネジによって前記サイドカバーを前記カートリッジ枠体から取り外す際に、前記カップリング部材は前記サイドカバーと一体で前記カートリッジ枠体から取り外されることを特徴とする請求項１４に記載のカートリッジの分解方法。
【手続補正２】
【補正対象書類名】明細書
【補正対象項目名】０１１９
【補正方法】変更
【補正の内容】
【０１１９】
次に、円筒部材１４７を軸受部材１３８とサイドカバー１５７との間に介在させて、サイドカバー１５７を枠体１１３に取り付ける（図１３（ｃ））。取り付ける際には、カップリング１５０が、サイドカバー１５７の開口部１５７ｊを通過し、軸受部材１３８とサイドカバー１５７とが接触する。ネジ２００ｂは、サイドカバー１５７の貫通穴１５７ｆ、及び、軸受部材１３８の貫通穴１３８ｆを通過して、現像枠体１１３に設けられたネジ締め部１１３ｄに取り付けられる（図２７（ａ））。これによって、ネジ２００ｂにより、サイドカバー１５７、及び、軸受部材１３８は現像枠体１１３に対して共締めされる。また、ネジ２００ａは、サイドカバー１５７の貫通穴１５７ｇを通過して、現像枠体１１３のネジ締め部１１３ｇに取り付けられる（図２７（ａ））。これによって、ネジ２００ａにより、サイドカバー１５７は、枠体１１３に固定される。また、ネジ２００ｃは、軸受部材１３８の貫通穴１３８ｇを通過して、枠体１１３のネジ締め部１１３ｇに取り付けられる（図２７（ａ））。これによって、ネジ２００ｃにより、軸受部材１３８は、枠体１１３に固定される。また、ギア支持部１６０ａで円筒部材１４７を回転自在に支持する。更に、抜け止め部１５７ａにより円筒部材１４７からカップリング１５０が外れるのを防ぐ。
【手続補正３】
【補正対象書類名】明細書
【補正対象項目名】０１２６
【補正方法】変更
【補正の内容】
【０１２６】
ユーザがカバー１３を閉めると、図１４（ａ）に示したように、カバー１３に設けられた突起部１３ａが解除部材１９を反時計回りに回転させる。これによって、解除部材１９は現像器係止部材（不図示）と接触しない位置に保持される。よって、インターロックＳＷがＯＮの時は、必ずカートリッジＢ（Ｂ１〜Ｂ４）全てがロックされた状態にある。そのため、カートリッジＢ（Ｂ１〜Ｂ４）のロックが掛からないまま本体Ａの駆動が掛かるというトラブルを確実に防ぐことができる。
【手続補正４】
【補正対象書類名】明細書
【補正対象項目名】０１２９
【補正方法】変更
【補正の内容】
【０１２９】
カートリッジＢの装着軌跡は、本体ガイド１７に沿って移動し、最終的にロータリＣに装着される。このとき、図１５（ａ）に示すように、カートリッジＢの両端部に固定された軸受部材１３８、１３９の被ガイド部６０ａ、６１ａが本体ガイド１７の規制リブ１７ａ、１７ｂ上にガイドされて移動する。そして、図１５（ａ）に示すように、カートリッジＢが、ガイド１７からロータリＣ内に移動するときは、カートリッジＶの両端に設けられたガイド部６０ｂ、６１ｂの先端が、ロータリＣのガイド溝Ｃ２（図１５（ｂ））に係合する。その状態で、ユーザが装着方向に力を加えることで、カートリッジＢをロータリＣ内に移動させ、正規位置である現像ローラの位置決め部（収容部１３０Ａ）まで到達可能となる。本実施形態における位置決め部とは、両側に設けられた６０ａ、６１ａの外周である。